(57)【要約】      （修正有）【課題】  点灯検査の作業性の向上を容易に図ることのできる光学パネルを提供する。【解決手段】  セグメント用配線群２ｓとコモン用配線群２ｃとの境界部分の一部に、プローブＰの位置ずれのマージンを拡大するためのマージン拡大用領域５を設けた。マージン拡大用領域５が、コモン用配線群２ｃのパターンの一部にセグメント用配線群２ｓから離れる迂回パターン部３を設けることにより形成されているので、マージン拡大用領域５を容易に形成することができる。これにより、液晶パネル１１の点灯検査時のおけるプローブＰの位置合わせが容易になり、点灯検査の作業性の向上を容易に図ることのできる。【選択図】      図１
2006171415.tif 000002
【特許請求の範囲】
【請求項１】
基板の端子形成部に複数のセグメント用配線群および複数のコモン用配線群が形成されているとともに、前記複数のセグメント用配線群の少なくとも一つが前記コモン用配線群の間に挟まれるようにそれぞれが相互に平行に配列されており、点灯検査時には、導電性ゴムからなるプローブによって、前記セグメント用配線群の各配線に駆動電圧を印加可能とされている光学パネルにおいて、
前記セグメント用配線群とコモン用配線群との境界部分の一部に、前記プローブの位置ずれのマージンを拡大するためのマージン拡大用領域が形成されていることを特徴とする光学パネル。
【請求項２】
前記マージン拡大用領域が、前記コモン用配線群のパターンの一部に前記セグメント用配線群から離れる迂回パターン部を設けることにより形成されている請求項１に記載の光学パネル。
【発明の詳細な説明】
【技術分野】
【０００１】
本発明は、光学パネルに係り、特に、点灯検査の作業性の向上に好適な光学パネルに関する。
【背景技術】
【０００２】
従来から、情報の表示を行う表示装置の表示部の一種として、小型かつ軽量でしかも設置スペースが少なくてすむ、液晶パネル、ＥＬパネル、プラズマパネルなどの各種の光学パネルが用いられている。このような光学パネルは、その製造工程において高度な薄膜形成技術や微細加工技術が必要であるため、配線の断線、画素電極の断線などによる欠陥を完全に無くすことは困難であった。そのため、従来においては、欠陥を早期に発見するために、光学パネルを駆動させるドライバなどを実装する前のパネル段階において点灯検査を行っている（例えば、特許文献１参照）。
【０００３】
従来の光学パネルについて、液晶パネルを例示して説明する。
【０００４】
図３は従来の一般的な液晶パネルの形状を簡略化して示す概略平面図であり、従来の液晶パネル１１は、例えばリア基板１１Ｒの一端縁がフロント基板１１Ｆの端縁より突出するように延出形成されており、この部分は、端子形成部１２とされている。そして、端子形成部１２の画像表示領域１３の側には、線状のパターンとされた複数の配線１４が形成されている。これらの配線１４は、図４に誇張して示すように、少なくとも一つのセグメント用配線群１４ｓおよび複数のコモン用配線群１４ｃを有している。そして、複数のセグメント用配線群１４ｓの少なくとも一つがコモン用配線群１４ｃの間に挟まれるようにそれぞれが相互に平行に配列されている。
【０００５】
なお、図４には、一つのセグメント用配線群１４ｓが、二つの複数のコモン用配線群１４ｃの間に挟まれるようにそれぞれが相互に平行に配列されているものを示してある。
【０００６】
また、配線１４のパターンとしては、図５に示すように、セグメント用配線群１４ｓおよびコモン用配線群１４ｃが斜線状に配列されているものもある。
【０００７】
前記液晶パネル１１の点灯検査時には、点灯検査装置の導電性ゴムからなるプローブＰの接触面Ｐａをコモン用配線群１４ｃの間に挟まれているセグメント用配線群１４ｓに接触させることで、コモン用配線群１４ｃの間に挟まれているセグメント用配線群１４ｓに駆動電圧を印加することができるようになっている。
【０００８】
なお、図４および図５に示すように、コモン用配線群１４ｃの間に挟まれているセグメント用配線群１４ｓには、プローブＰの接触面Ｐａによって、セグメント用配線群１４ｓのうちの少なくとも一部、図４および図５においては図示してあるすべてのセグメント用配線群１４ｓに駆動電圧を一括して印可することができるようになっている。
【０００９】
【特許文献１】特開２００４−１４４６９７号公報
【発明の開示】
【発明が解決しようとする課題】
【００１０】
しかしながら、従来の液晶パネル１１においては、点灯検査時に、プローブＰの位置合わせを複数回行わなければならない場合があり、点灯検査の作業性が悪いという問題点があった。
【００１１】
特に、駆動用半導体（ドライバ）などのチップ部品を直接搭載するＣＯＧ（chip on glass ）実装方式を用いた液晶パネルや表示の高精細な液晶パネルでは、端子形成部１２に、数多くの配線１４が必要であり、このため配線１４の間隔が狭くなるので、プローブＰ、詳しくはプローブＰの接触面Ｐａの位置ずれに対するマージンが小さくなり、プローブＰの位置合わせを１回で行うのがより困難であるという問題点があった。
【００１２】
また、一般的に、プローブＰは、図４の左右方向および上下方向に移動可能に形成されているので、図４に示す配線が上下方向に直線状に形成されている場合に比べて、図５に示す配線が斜め方向に斜線状に形成されている場合にほうが、プローブＰの接触面Ｐａの位置ずれに対するマージンが小さくなる。
【００１３】
そこで、点灯検査の作業性の向上を容易に図ることのできる光学パネルが求められている。
【００１４】
本発明はこの点に鑑みてなされたものであり、点灯検査の作業性の向上を容易に図ることのできる光学パネルを提供することを目的とする。
【課題を解決するための手段】
【００１５】
前述した目的を達成するため、本発明に係る光学パネルの特徴は、基板の端子形成部に複数のセグメント用配線群および複数のコモン用配線群が形成されているとともに、前記複数のセグメント用配線群の少なくとも一つが前記コモン用配線群の間に挟まれるようにそれぞれが相互に平行に配列されており、点灯検査時には、導電性ゴムからなるプローブによって、前記セグメント用配線群の各配線に駆動電圧を印加可能とされている光学パネルにおいて、前記セグメント用配線群とコモン用配線群との境界部分の一部に、前記プローブの位置ずれのマージンを拡大するためのマージン拡大用領域が形成されている点にある。
【００１６】
前記マージン拡大用領域は、前記コモン用配線群のパターンの一部に前記セグメント用配線群から離れる迂回パターン部を設けることにより形成されていることが好ましい。
【発明の効果】
【００１７】
本発明に係る光学パネルによれば、マージン拡大用領域によって、点灯検査時におけるプローブの位置合わせを容易に行うことができるので、点灯検査の作業性の向上を容易に図ることができるなどの極めて優れた効果を奏する。
【発明を実施するための最良の形態】
【００１８】
以下、本発明を図面に示す実施形態により説明する。なお、本発明の光学パネルは、従来の光学パネルと配線のパターンが異なるだけであるので、配線パターンについてのみ説明し、その他の構成については省略する。また、前述した従来のものと同一ないし相当する構成については図面中に同一の符号を付す。
【００１９】
図１は本発明に係る光学パネルの第１実施形態の要部を示す模式的平面図である。
【００２０】
図１に示すように、本実施形態の液晶パネルなどの光学パネル１には、線状のパターンとされた複数の配線２が形成されている。これらの配線２は、複数のセグメント用配線群２ｓおよび複数のコモン用配線群２ｃを有している。そして、少なくとも一つのセグメント用配線群２ｓがコモン用配線群２ｃの間に挟まれるようにそれぞれが全体として相互に平行に配列されている。また、各配線２は、その長さ方向を図１の上下方向に示す縦方向に沿って直線状に形成されている。これらの配線２は、例えば、線幅が０．５ｍｍ程度、配線２の間隔が０．３ｍｍ程度に形成されており、その長さ方向を図１の上下方向に示す縦方向に沿って配列されている。
【００２１】
なお、複数のセグメント用配線群２ｓの両側にコモン用配線群２ｃが配置される構成もある。
【００２２】
前記コモン用配線群２ｃの一部には、隣位するセグメント用配線群２ｓから離れるほぼ縦長コの字状の迂回パターン部３が設けられており、コモン用配線群２ｃとセグメント用配線群２ｓとの境界部分のそれぞれには、配線２の間隔より広い領域４が形成されている。この迂回パターン部３のパターンとしては、例えば、図１に示す設計上の設定位置に位置した場合のプローブＰの接触面Ｐａの周辺から最も近い部分が０．４ｍｍ程度離れるように形成されている。
【００２３】
なお、迂回パターン部３の形状は、プローブＰの接触面Ｐａの形状に応じて矩形、円形などの各種の形状から選択することができる。
【００２４】
前記領域４により、本実施形態のセグメント用配線群２ｓとコモン用配線群２ｃとの境界部分の一部に、前述した点灯検査装置のプローブＰの位置ずれのマージンを拡大するためのマージン拡大用領域５が構成されている。
【００２５】
すなわち、マージン拡大用領域５は、コモン用配線群２ｃのパターンの一部にセグメント用配線群２ｓから離れる迂回パターン部３を設けることにより形成されている。
【００２６】
なお、光学パネル１としては、液晶パネル、ＥＬパネル、プラズマパネルなどを挙げることができる。
【００２７】
その他の光学パネル１の構成については、従来公知の光学パネルと同様とされているので、その詳しい説明は省略する。
【００２８】
つぎに、前述した構成からなる本実施形態の作用について説明する。
【００２９】
本実施形態の光学パネル１によれば、セグメント用配線群２ｓとコモン用配線群２ｃとの境界部分の一部に、プローブＰ、詳しくはプローブＰの接触面Ｐａの位置ずれのマージンを拡大するためのマージン拡大用領域５が形成されているので、点灯検査時にプローブＰの位置合わせを容易に行うことができる。その結果、点灯検査の作業性を容易かつ確実に向上することができる。
【００３０】
すなわち、本実施形態の光学パネル１においては、プローブＰの接触面Ｐａの位置ずれのマージンが、図１に示す設計上の設定位置より、上下左右に０．４ｍｍ未満とされている。これに対して、従来のように、迂回パターン部３を設けない場合においては、プローブＰの接触面Ｐａの位置ずれのマージンが、図１に示す設計上の設定位置より、上下左右に０．３ｍｍ未満となる。
【００３１】
また、本実施形態の光学パネル１によれば、マージン拡大用領域５が、コモン用配線群２ｃのパターンの一部にセグメント用配線群２ｓから離れる迂回パターン部３を設けることにより形成されているので、マージン拡大用領域５を容易に形成することができる。
【００３２】
図２は本発明に係る光学パネル１の第２実施形態の要部を示す概略平面図である。
【００３３】
図２に示すように、本実施形態の光学パネル１Ａには、線状のパターンとされた複数の配線２Ａが形成されている。これらの配線２Ａは、複数のセグメント用配線群２Ａｓおよび複数のコモン用配線群２Ａｃを有している。そして、少なくとも一つのセグメント用配線群２Ａｓがコモン用配線群２Ａｃの間に挟まれるようにそれぞれが全体として相互に平行に配列されている。また、各配線２Ａは、その長さ方向を図１の左下から右斜め上方に向かうように斜線状に形成されている。これらの配線２Ａは、例えば、線幅が０．５ｍｍ程度、配線２Ａの間隔が０．３ｍｍ程度に形成されている。
【００３４】
なお、複数のセグメント用配線群２Ａｓの両側に、コモン用配線群２Ａｃが配置される構成もある。
【００３５】
前記各コモン用配線群２Ａｃの一部には、隣位するセグメント用配線群２Ａｓから離れる略くの字状の迂回パターン部３Ａが設けられており、コモン用配線群２Ａｃとセグメント用配線群２Ａｓとの境界部分のそれぞれには、配線２Ａの間隔より広い領域４Ａが形成されている。この迂回パターン部３Ａのパターンとしては、例えば、図２に示す設計上の設定位置に位置した場合のプローブＰの接触面Ｐａの周辺から最も近い部分が０．４ｍｍ離れるように形成されている。
【００３６】
なお、迂回パターン部３Ａの形状は、プローブＰの接触面Ｐａの形状に応じて矩形、円形などの各種の形状から選択することができる。
【００３７】
前記領域４Ａにより、本実施形態のセグメント用配線群２Ａｓとコモン用配線群２Ａｃとの境界部分の一部に、前述した点灯検査装置のプローブＰの位置ずれのマージンを拡大するためのマージン拡大用領域５Ａが構成されている。
【００３８】
すなわち、マージン拡大用領域５Ａは、コモン用配線群２Ａｃのパターンの一部にセグメント用配線群２Ａｓから離れる迂回パターン部３Ａを設けることにより形成されている。
【００３９】
その他の光学パネル１Ａの構成については、従来公知の光学パネルと同様とされているので、その詳しい説明は省略する。
【００４０】
つぎに、前述した構成からなる本実施形態の作用について説明する。
【００４１】
本実施形態の光学パネル１Ａによれば、前述した第１実施形態の光学パネル１と同様の効果を奏する。
【００４２】
なお、本実施形態の光学パネル１Ａにおいては、プローブＰの接触面Ｐａの位置ずれのマージンが、図２に示す設計上の設定位置より、上下左右に０．４ｍｍ未満とされている。これに対して、従来のように、迂回パターン部３Ａを設けない場合においては、プローブＰの接触面Ｐａの位置ずれのマージンが、図２に示す設計上の設定位置より、上下左右に０．２１ｍｍ程度未満となる。
【００４３】
本発明は、光学パネルに限らず、導電性ゴムにより形成されたプローブにより駆動電圧を印可する検査に供する配線が、駆動電圧を印可しない配線に挟まれて配置されている基板や電子部品などに適用することができる。
【００４４】
なお、本発明は、前述した各実施形態に限定されるものではなく、必要に応じて種々の変更が可能である。
【図面の簡単な説明】
【００４５】
【図１】本発明に係る光学パネルの第１実施形態の要部を示す模式的平面図
【図２】本発明に係る光学パネルの第２実施形態の要部を示す模式的平面図
【図３】従来の光学パネルの一例としての液晶パネルの要部の構成を示す概略平面図
【図４】図３の液晶パネルの配線の一例を示す模式的平面図
【図５】図３の液晶パネルの配線の他例を示す模式的平面図
【符号の説明】
【００４６】
１、１Ａ  光学パネル
２、２Ａ  配線
２ｓ、２Ａｓ  セグメント用配線群
２ｃ、２Ａｃ  コモン用配線群
３、３Ａ  迂回パターン部
４  領域
５  マージン拡大用領域
Ｐ  プローブ
Ｐａ  接触面
【図１】
2006171415.tif 000003
【図２】
2006171415.tif 000004
【図３】
2006171415.tif 000005
【図４】
2006171415.tif 000006
【図５】
2006171415.tif 000007